(57)【要約】【課題】原位置処理あるいは原位置処理以外での処理も可能で、比較的低コストな工事費でしかも短工期ですみ、簡易的な水底汚染土壌の封じ込め用構造体および設備並びに封じ込め方法および水底汚染土壌封じ込め用の上下開口式枠体ユニットを提供することを目的とする。【解決手段】水底に設置され、かつ汚染土壌の収納空間を備えた水底汚染土壌封じ込め用の上下開口式枠体ユニット４と、その上下開口式枠体ユニット４の上部に設けられる水底汚染土壌の封じ込め用の蓋材５とからなる。水底に設置され、汚染土壌の収納部を備えた水底汚染土壌封じ込め用の上下開口式枠体ユニット４と、その上下開口式枠体ユニット４に積み重ねられる少なくとも１つ以上の上下開口式枠体ユニット４と、最上部の上下開口式枠体ユニット４に設けられる水底汚染土壌の封じ込め用の蓋材５とからなる。【選択図】        図１
2004283719.tif 000002
【特許請求の範囲】
【請求項１】
水底に設置され、かつ汚染土壌の収納空間を備えた水底汚染土壌封じ込め用の一つまたは積み重ねられた複数の上下開口式枠体ユニットと、その上下開口式枠体ユニットの上部に設けられる水底汚染土壌の封じ込め用の蓋材とからなることを特徴とする水底汚染土壌の封じ込め用構造体。
【請求項２】
上部が水底面と同レベル以下に設置され、かつ汚染土壌の収納空間を備えた水底汚染土壌封じ込め用の一つまたは積み重ねられた複数の上下開口式枠体ユニットと、その水底汚染土壌封じ込め用の上下開口式枠体ユニットの上部に設けられる水底汚染土壌の封じ込め用の蓋材とからなることを特徴とする水底汚染土壌の封じ込め用構造体。
【請求項３】
水底に設置され、汚染土壌の収納部を備えた水底汚染土壌封じ込め用の一つまたは積み重ねられた複数の上下開口式枠体ユニットと、その上下開口式枠体ユニットに積み重ねられる少なくとも１つ以上の上下開口式枠体ユニットと、中間部の上下開口式枠体ユニットに設ける少なくとも１つ以上の蓋材と、さらに最上部の上下開口式枠体ユニットに設けられる水底汚染土壌の封じ込め用の蓋材とからなることを特徴とする水底汚染土壌の封じ込め用構造体。
【請求項４】
最上部の上下開口式枠体ユニットが恒常的に使用される構造物として用いられることを特徴とする請求項１または３の水底汚染土壌の封じ込め用構造体。
【請求項５】
前記蓋材が、鋼板等の金属製の蓋材または水中コンクリートまたは鉄鋼スラグ等の水硬性物質からなる蓋材とされていることを特徴とする請求項１〜４に記載の水底汚染土壌の封じ込め用構造体。
【請求項６】
請求項４の水底汚染土壌の封じ込め用構造体が、水域に、複数連続した状態または間隔をおいて点在した状態で設けられていることを特徴とする水底汚染土壌の封じ込め設備。
【請求項７】
請求項１〜５のいずれかの水底汚染土壌の封じ込め用構造体に使用される水底汚染土壌封じ込め用の上下開口式枠体ユニット。
【請求項８】
上下方向の端部に嵌合継手を備えている請求項７の水底汚染土壌の封じ込め用構造体に用いる水底汚染土壌封じ込め用の上下開口式枠体ユニット。
【請求項９】
汚染土壌の収納空間を備えた水底汚染土壌封じ込め用の上下開口式枠体ユニットを水底に設置した後、その上下開口式枠体ユニットの上部開口部から汚染土壌の収納部内に上部開口部から水底汚染土壌を投入し、前記上下開口式枠体ユニットの上部に水底汚染土壌の封じ込め用の蓋材を設けて、水底汚染土壌を上下開口式枠体ユニット内に封じ込めることを特徴とする水底汚染土壌の封じ込め方法。
【請求項１０】
汚染土壌の収納部を備えた水底汚染土壌封じ込め用の上下開口式枠体ユニットを複数直列に配置すると共に水面上に突出する長さの枠体ユニット集合体とし、その枠体ユニット集合体を水底に設置すると共に最上部の上下開口式枠体ユニットを水面上に突出させて、汚染土壌の収納部と汚濁防止柵部を形成し、次いで汚染土壌量に応じて枠体ユニット集合体内に水底汚染土壌を投入した後、投入された汚染土壌上面レベルよりも高レベル位置の上下開口式枠体ユニットを撤去すると共に蓋材を設けて汚染土壌を封じ込めることを特徴とする水底汚染土壌の封じ込め方法。
【請求項１１】
汚染土壌の収納部を備えた水底汚染土壌封じ込め用の上下開口式枠体ユニットを複数直列に配置すると共に水面上に突出する長さの枠体ユニット集合体とし、その枠体ユニット集合体を水底に設置すると共に最上部の上下開口式枠体ユニットを水面上に突出させて、次いで汚染土壌量に応じて枠体ユニット集合体内に水底汚染土壌を投入した後、蓋材を設けて汚染土壌を封じ込めることを特徴とする水底汚染土壌の封じ込め方法。
【発明の詳細な説明】
【０００１】
【発明の属する技術分野】
本発明は、水域である河川、湖沼、海域等における水底汚染土壌を封じ込め、周辺水域の水質が水底汚染土壌によって汚染されることを防止するための水底汚染土壌の封じ込め用構造体および設備並びに封じ込め方法および水底汚染土壌封じ込め用の上下開口式枠体ユニットに関する。
【０００２】
【従来の技術】
従来、他の水底汚染土壌を原位置固定する封じ込め工法としては、セメント系安定剤を、水底汚染土と混合撹拌して固化させ、封じ込める工法も知られている。
【０００３】
しかし、前記セメント系安定剤の攪拌混合による工法の場合には、工期が長くなるという問題がある。
【０００４】
また、汚濁防止手段を備えた汚染土の処理工法として、従来、図８に示すように、グラブ付き自航船１５により汚濁防止枠１６を吊り下げ支持して、水底土の掘削あるいは汚染土７の埋め戻しをしたり、図９に示すように、水底面６に着座させた複数の重錘１７と水面上の浮体（フロ−ト）１８に支持させた汚濁防止膜１９間において、水底土の掘削あるいは汚染土の埋め戻しをしたり、図１０に示すように、矢板壁２０による締め切り工２１内で、水底土の掘削あるいは汚染土の埋め戻しをすることが知られている（例えば非特許文献１参照）。
【０００５】
また、汚染土を原位置以外で処理する場合、図８〜図１０に示す汚濁防止手段を講じて、例えば、図１０に示すような一重または２重の矢板の締め切り工からなる最終海面処分場２２へ埋め戻して処理することも知られている。
【０００６】
【非特許文献１】
安達逸雄、遠藤聖五郎  著「港湾工事施工技術」株式会社山海堂、１９９１年９月１０日、Ｐ．５、Ｐ１２２−１２５、Ｐ１８１−１８５、Ｐ５６５−５７１
【０００７】
【発明が解決しようとする課題】
しかし、矢板による最終海面処分場の建設には、多大な建設工事費がかかると共に、工期も長くなるという問題がある。
【０００８】
また、汚濁防止手段として、図８の汚濁防止枠の場合は、水流の影響を受けやすいため、安定性がなく、汚濁防止枠により完全に遮断することは難しいという問題がある。また、図９に示す汚濁防止膜の場合には、水流が早く、水位の変動が激しいときは、汚濁防止膜の破損や流出の恐れがあり、しかも汚濁防止膜の維持管理に多大な労力が必要になるという問題がある。さらに、図１０に示す汚濁防止手段としての矢板締め切り工の場合は、矢板打ち込みに多大な工事費と長工期を要するという問題がある。（例えば、非特許文献１参照。）。
【０００９】
本発明は、原位置処理あるいは原位置処理以外での処理も可能で、比較的低コストな工事費でしかも短工期ですみ、簡易的な水底汚染土壌の封じ込め用構造体および設備並びに封じ込め方法および水底汚染土壌封じ込め用の上下開口式枠体ユニットを提供することを目的とする。
また、施工の自由度が高く、応用も可能な水底汚染土壌の封じ込め用構造体および設備並びに封じ込め方法および水底汚染土壌封じ込め用の上下開口式枠体ユニットを提供することを目的とする。
【００１０】
【課題を解決するための手段】
前記の従来の問題点を有利に解決するために、第１発明の水底汚染土壌の封じ込め用構造体においては、水底に設置され、かつ汚染土壌の収納空間を備えた水底汚染土壌封じ込め用の上下開口式枠体ユニットと、その上下開口式枠体ユニットの上部に設けられる水底汚染土壌の封じ込め用の蓋材とからなることを特徴とする。
【００１１】
また、第２発明の水底汚染土壌の封じ込め用構造体では、上部が水底面と同レベル以下に設置され、かつ汚染土壌の収納空間を備えた水底汚染土壌封じ込め用の上下開口式枠体ユニットと、その水底汚染土壌封じ込め用の上下開口式枠体ユニットの上部に設けられる水底汚染土壌の封じ込め用の蓋材とからなることを特徴とする。
【００１２】
また、第３発明の水底汚染土壌の封じ込め用構造体では、水底に設置され、汚染土壌の収納部を備えた水底汚染土壌封じ込め用の上下開口式枠体ユニットと、その上下開口式枠体ユニットに積み重ねられる少なくとも１つ以上の上下開口式枠体ユニットと、中間部の上下開口式枠体ユニットに設ける少なくとも１つ以上の蓋材と、さらに最上部の上下開口式枠体ユニットに設けられる水底汚染土壌の封じ込め用の蓋材とからなることを特徴とする。
【００１３】
また、第４発明では、第１発明または第３発明の水底汚染土壌の封じ込め用構造体において、最上部の上下開口式枠体ユニットが恒常的に使用される構造物として用いられることを特徴とする。
【００１４】
また、第５発明では、第１発明〜第４発明の水底汚染土壌の封じ込め用構造体において、前記蓋材が、鋼板等の金属製の蓋材または水中コンクリートまたは鉄鋼スラグ等の水硬性物質からなる蓋材とされていることを特徴とする。
【００１５】
また、第６発明の水底汚染土壌の封じ込め設備では、第４発明の水底汚染土壌の封じ込め用構造体が、水域に、複数連続した状態または間隔をおいて点在した状態で設けられていることを特徴とする。
【００１６】
第７発明は、第１発明〜第５発明のいずれかの水底汚染土壌の封じ込め用構造体に使用される水底汚染土壌封じ込め用の上下開口式枠体ユニットである。
【００１７】
第８発明では、第７発明の水底汚染土壌の封じ込め用構造体に用いる上下開口式枠体ユニットにおいて、上下方向の端部に嵌合継手を備えていることを特徴とする。
【００１８】
第９発明の水底汚染土壌の封じ込め方法においては、汚染土壌の収納空間を備えた水底汚染土壌封じ込め用の上下開口式枠体ユニットを水底に設置した後、その上下開口式枠体ユニットの上部開口部から汚染土壌の収納部内に上部開口部から水底汚染土壌を投入し、前記上下開口式枠体ユニットの上部に水底汚染土壌の封じ込め用の蓋材を設けて、水底汚染土壌を上下開口式枠体ユニット内に封じ込めることを特徴とする。
【００１９】
第１０発明の水底汚染土壌の封じ込め方法においては、汚染土壌の収納部を備えた水底汚染土壌封じ込め用の上下開口式枠体ユニットを複数直列に配置すると共に水面上に突出する長さの枠体ユニット集合体とし、その枠体ユニット集合体を水底に設置すると共に最上部の上下開口式枠体ユニットを水面上に突出させて、汚染土壌の収納部と汚濁防止柵部を形成し、次いで汚染土壌量に応じて枠体ユニット集合体内に水底汚染土壌を投入した後、投入された汚染土壌上面レベルよりも高レベル位置の上下開口式枠体ユニットを撤去すると共に蓋材を設けて汚染土壌を封じ込めることを特徴とする。
【００２０】
第１１発明の水底汚染土壌の封じ込め方法においては、汚染土壌の収納部を備えた水底汚染土壌封じ込め用の上下開口式枠体ユニットを複数直列に配置すると共に水面上に突出する長さの枠体ユニット集合体とし、その枠体ユニット集合体を水底に設置すると共に最上部の上下開口式枠体ユニットを水面上に突出させて、次いで汚染土壌量に応じて枠体ユニット集合体内に水底汚染土壌を投入した後、蓋材を設けて汚染土壌を封じ込めることを特徴とする水底汚染土壌の封じ込め方法。
【００２１】
【発明の実施の形態】
次に、この発明を図示の実施形態に基づいて詳細に説明する。
図１および図２は、本発明の第１および第２実施形態を示すものであって、前後左右の一体に連設された周側面板１により構成され、上部および下部が貫通して開口している中空の枠体ユニット２の内部を汚染土壌の収納空間３とした水底汚染土壌封じ込め用の上下開口式枠体ユニット４が構成されている。
【００２２】
前記水底汚染土壌封じ込め用の上下開口式枠体ユニット４としては、鋼製材料その他の金属材料、表面を鋼板で被覆した鋼・コンクリートの複合構造の枠体、あるいは鉄筋コンクリート等あるいはその他の材料の枠体でもよいが、水底に沈降可能な比較的比重の高いものが水流に影響されないので望ましい。また、水底汚染土壌封じ込め用の上下開口式枠体ユニット４の横断面形状としては、図示の矩形状以外にも、３角形以上の多角形あるいは円形等適宜の枠状の形態であればよい。
【００２３】
また、水底汚染土壌封じ込め用の上下開口式枠体ユニット４の上部には、蓋材５を設けるため、好ましくは蓋材５の嵌合余裕あるいは蓋材５の収納余裕を有するものが好ましいが、もちろん、蓋材５を前記上下開口式枠体ユニット４の上端部に設置するようにしてもよい。
【００２４】
前記のような水底汚染土壌封じ込め用の上下開口式枠体ユニット４を作業船に積み込み、水底面または水底汚染土壌上の水底面６に、前記上下開口式枠体ユニット４を自然沈降または必要に応じ適宜の作業船に支持されたガイド枠（図示を省略した）を使用した自然沈降あるいはクレーンにより吊り下げ支持しながら沈降させること等により、上部が開口した状態で水底面６に貫入設置し、必要に応じ、作業船（図示を省略した）から吊り下げ支持された水中バイブロハンマーあるいは重錘等により、上下開口式枠体ユニット４の下部の貫入量を調整する。あるいは、図２に示すように、水底（または海底）面レベルを上げられない場合には、水底面土砂（または海底面土砂）１０を掘削して、上下開口式枠体ユニット４の上部が水底面６と同レベル以下になるように上下開口式枠体ユニット４を埋め込み設置する。
【００２５】
前記のように、水底汚染土壌封じ込め用の上下開口式枠体ユニット４を水底面６に設置した後、現位置付近または現位置以外から適宜の搬送手段により水底汚染土壌７を、グラブ付き自航船により吊り下げ支持されたグラブ等により、前記上下開口式枠体ユニット４内の収納空間３に投入し、その後、前記上下開口式枠体ユニット４の上部に蓋材５を設置して、水底汚染土壌７を、上下開口式枠体ユニット４と蓋材５とからなる水底汚染土壌の封じ込め用構造体８内に封じ込める。
【００２６】
前記の蓋材５は、汚染土を封じ込め可能なものでよく、例えば、鋼製蓋その他の金属材料性蓋材を使用してもよく、水中コンクリート、鋼製スラグなどの水硬性物質の投下により蓋材５を形成することもできる。製鋼スラグの場合は、アルカリ刺激材によるアルカリ刺激を受けて固結する高炉水砕スラグ層または高炉水砕スラグ含有層を使用した蓋材５とすることもできる。高炉水砕スラグ層または高炉水砕スラグ含有層は、アルカリ刺激を受けることで、潜在水硬性が発現し、経時的に固結が進行し、固結した層からなる蓋材５を形成し、上下開口式枠体ユニット４を蓋することができる。なお、前記の高炉水砕スラグまたは高炉水砕スラグ含有物を使用する場合、その粒径を適宜調整してもよい。
【００２７】
また、前記のアルカリ刺激材としては、製鋼スラグ、高炉徐冷スラグ、消石灰、セメントのいずれか一種または二種以上の混合物であることが入手の容易性の点から好ましい。この中でも、副産物のリサイクルの観点からは、製鋼スラグを利用することが好ましい。
【００２８】
製鋼スラグとは、高炉で製造された硬くて脆い銑鉄から、不要な成分を除去し、靭性・加工性のある鋼にする製鋼過程で生じる石灰分を主体とした粉粒状の副産物であり、転炉スラグ、溶銑予備処理スラグ、電気炉スラグ等を用いることができる。
【００２９】
高炉徐冷スラグとは、銑鉄を製造する高炉で溶融された鉄鉱石のうち、鉄以外の成分を副原料の石灰石やコークス中の灰分と一緒に分離回収したものをヤードで徐々に冷却し、破砕したものである。
【００３０】
セメントは、普通ポルトランドセメントの他、早強ポルトランドセメント、超早強ポルトランドセメント、中庸熱ポルトランドセメント、耐硫酸塩ポルトランドセメント等の各種ポルトランドセメント、高炉セメント、フライアッシュセメント、シリカセメント等の各種混合セメント、白色セメント、カラーセメント、アルミナセメント、超速硬セメント（レギュレーテッドセットセメント）、膨張セメント、エコセメントが使用できる。
【００３１】
消石灰とは、主成分が水酸化カルシウムＣａ（ＯＨ）２であり、生石灰に水を反応させて得た白色粉末の生成物である。ＪＩＳ  Ｒ  ９００１（工業用石灰），ＪＩＳ  Ａ  ６９０２（左官用消石灰），肥料公定規格を満足するものの他、規格外であってもアルカリ性を有しているものであれば使用可能である。
なお、以上の材料は、混入工法に応じ、予め水と混合したものを使用してもよい。
【００３２】
次に、図３を参照しながら本発明の第３実施形態について説明する。
この実施形態は、水底汚染土壌封じ込め用の上下開口式枠体ユニット４を複数段または多段に積み重ねる形態であり、上下開口式枠体ユニット４を複数、陸上あるいは船上において直列に積み重ねて枠体ユニット集合体９を構成してもよく、適宜作業船から吊り下げ支持された下降ガイド部材（図示を省略した）を使用して、現場作業により、水底に設置された一つまたは積み重ねられた複数の上下開口式枠体ユニット４の上端部に、少なくとも１つ以上の新たな上下開口式枠体ユニット４を順次積み重ねるようにして枠体ユニット集合体９を構成するようにしてもよい。
【００３３】
水底汚染土壌封じ込め用の上下開口式枠体ユニット４を積み重ねる場合、下位の上下開口式枠体ユニット４に上位の上下開口式枠体ユニット４の下部を載置して着脱自在な連結具（図示を省略）により連結してもよく、あるいは図示を省略するが、各上下開口式枠体ユニット４の側壁内に上下方向に貫通する吊り下げ支持具挿入孔を設けて、最下部の上下開口式枠体ユニット４まで、長さ調整可能な吊り下げ支持具（連結カプラーと螺杆との組み合わせ等）を挿入して、最下部の上下開口式枠体ユニット４の下端部を支承する支承金具を前記吊り下げ支持具に連結して、吊り下げ支持具の上部を作業船のクレーンにより吊り下げ支持して、枠体ユニット集合体９ごと積み重ねた状態で水底に設置することもできる。
【００３４】
図３（ａ）に示すように、複数の水底汚染土壌封じ込め用の上下開口式枠体ユニット４を積み重ねて、枠体ユニット集合体９の上部を水面上に突出するように設置すると、枠体ユニット集合体９の内外で水域が分断されて、枠体ユニット集合体９の中間部１１が汚濁防止柵として機能し、水底汚染土壌７を枠体ユニット集合体９内に投入しても、周囲の水域１２が汚濁されるのを防止できる。
【００３５】
前記のように枠体ユニット集合体９を構成する上で、上下の水底汚染土壌封じ込め用の上下開口式枠体ユニット４の係合を横ずれしないように確実にするために、上下開口式枠体ユニット４の上下方向の端部に嵌合継手を備えていると好ましく、例えば、図３あるいは図４または図５の（ａ），（ｂ），（ｃ）に示すように、上下方向中間に位置する上下開口式枠体ユニット４では、上端部に挿し込み型の雄型嵌合継手１３を備え、下端部に雌型嵌合継手１４を備えているとよい。下端に位置する上下開口式枠体ユニット４では、上端部に嵌合継手を、また上端に位置する上下開口式枠体ユニット４では、少なくとも下端部に嵌合継手を備えているとよい。
【００３６】
さらに説明すると、図４（ａ）では、水底汚染土壌封じ込め用の上下開口式枠体ユニット４の上端部内周面に環状段部を形成して雌型嵌合継手１４とし、また、上下開口式枠体ユニット４の下端部に外形を細くした挿し込み部を形成して雄型嵌合継手１３とし、図４（ｂ）に示すように、下位の上下開口式枠体ユニット４の上端部に、上位の上下開口式枠体ユニット４の下端部を嵌合載置することができる。
【００３７】
また、図４（ｃ）に示すように、雌型嵌合継手１４の深さを深くしたりておくと、図５（ａ）に示すように、雄型嵌合継手１３を差し込んだ状態でも、雌型嵌合継手１４の段部と雄型嵌合継手１３の先端部との間に、図４（ｃ）に２点鎖線で示す蓋材５を形成するに必要な寸法余裕ができるため、雌型嵌合継手１４の段部付近まで、水底汚染土壌７を投入し、これを封じ込めるように前記の寸法余裕の部分に蓋材５を設けた後、図３（ｂ）に矢印で示すように、上位の水底汚染土壌封じ込め用の上下開口式枠体ユニット４を撤去したり、そのまま残しておくことも可能である。
【００３８】
また、図５（ｂ）に示すような鋼製等筒状の雄型嵌合継手１３を、水底汚染土壌封じ込め用の上下開口式枠体ユニット４の下端部内周面に固定し、上下開口式枠体ユニット４の上端部を雌型嵌合継手１３としても同様に機能させることができる。
【００３９】
前記のような雄雌嵌合方式の継手とすると、枠体ユニット集合体９の嵌合継手部分のシール性能が向上し、枠体ユニット集合体９内から周辺水域への汚染土砂の流出、あるいは波力による不安定性を防止することができる構造となる。
【００４０】
次に、前記の水底汚染土壌封じ込め用の上下開口式枠体ユニット４を使用した水底汚染土壌の封じ込め方法としては、以下の多用な方法が考えられる。
【００４１】
例えば、（１）汚染土壌の収納部を備えた水底汚染土壌封じ込め用の上下開口式枠体ユニット４を複数直列に配置すると共に水面上に突出する長さの枠体ユニット集合体９とし、その枠体ユニット集合体９を水底に設置すると共に最上部の上下開口式枠体ユニット４を水面上に突出させて、汚染土壌の収納部と汚濁防止柵部を形成し、次いで汚染土壌量に応じて枠体ユニット集合体９内に汚染土壌７を投入した後、投入された汚染土壌の上面レベルよりも高レベル位置の上下開口式枠体ユニット４を撤去すると共に蓋材５を設けて汚染土壌を封じ込めるような水底汚染土壌の封じ込め方法を採用してもよい。
【００４２】
また、（２）汚染土壌の収納部を備えた水底汚染土壌封じ込め用の上下開口式枠体ユニット４を複数直列に配置すると共に水面上に突出する長さの枠体ユニット集合体９とし、その枠体ユニット集合体９を水底に設置すると共に最上部の上下開口式枠体ユニット４を水面上に突出させて、次いで汚染土壌量に応じて枠体ユニット集合体９内に汚染土壌７を投入した後、蓋材５を設けて汚染土壌を封じ込めるような水底汚染土壌の封じ込め方法でもよい（図６参照）。
【００４３】
さらに、（３）汚染土壌の収納部を備えた水底汚染土壌封じ込め用の上下開口式枠体ユニット４を水底に設置した後、その上下開口式枠体ユニット４に少なくとも１つ以上の上下開口式枠体ユニット４を積み重ねるように設置して水面上に突出した枠体ユニット集合体９を築造して、汚染土壌７の収納部と汚濁防止柵部を形成し、次いで汚染土壌量に応じて前記汚染土壌の収納部またはその収納部と汚濁防止柵部に汚染土壌７を投入した後、投入された汚染土壌上面レベルよりも高レベル位置の上下開口式枠体ユニット４を撤去すると共に蓋材５を設けて汚染土壌７を封じ込めるような水底汚染土壌の封じ込め方法でもよい。
【００４４】
さらにまた、（４）汚染土壌の収納部を備えた水底汚染土壌封じ込め用の上下開口式枠体ユニット４を水底に設置した後、その上下開口式枠体ユニット４に少なくとも１つ以上の上下開口式枠体ユニット４を積み重ねるように設置して水面上に突出した枠体ユニット集合体９を築造して、汚染土壌７の収納部と汚濁防止柵部を形成し、次いで前記汚染土壌７の収納部またはその収納部と汚濁防止柵部に汚染土壌７を投入した後、最上部の上下開口式枠体ユニット４に蓋材５を設けて汚染土壌を封じ込めるような水底汚染土壌の封じ込め方法でもよい。
【００４５】
あるいは、（５）水底汚染土壌の封じ込め構造体８内に汚染土壌７を封じ込めた後、新たな別個の水底汚染土壌の封じ込めの必要が生じた際に、前記水底汚染土壌の封じ込め構造体８の上部に少なくとも１つ以上の水底汚染土壌封じ込め用の上下開口式枠体ユニット４を積み重ねて、汚染土壌の収納部と汚濁防止柵部を備えた水面上に突出する枠体ユニット集合体９を形成し、次いでその枠体ユニット集合体９内に水底汚染土壌を投入した後、投入された汚染土壌上面レベルよりも高レベル位置の上下開口式枠体ユニット４を撤去すると共に蓋材５を設ける工程を繰り返すような水底汚染土壌の封じ込め方法でもよい。
【００４６】
なおまた、（６）水底汚染土壌の封じ込め構造体８内に汚染土壌を封じ込めた後、その水底汚染土壌の封じ込め構造体８の上部に少なくとも１つ以上の水底汚染土壌封じ込め用の上下開口式枠体ユニット４を積み重ねて、汚染土壌の収納部と汚濁防止柵部を備えた水面上に突出する枠体ユニット集合体９を形成し、次いでその枠体ユニット集合体９内に汚染土壌７を投入した後、最上部の上下開口式枠体ユニット４に蓋材５を設けて汚染土壌７を封じ込める汚染土壌の処分場構造物のような水底汚染土壌の封じ込め方法を採用することができる。
【００４７】
前記のように、本発明では、汚濁防止柵として機能させた水底汚染土壌封じ込め用の上下開口式枠体ユニット４を撤去することで、水底汚染土壌の封じ込め構造体８による海面処分場としての必要容量を自由に調整できる。
【００４８】
また、汚濁防止柵として機能させた水底汚染土壌封じ込め用の上下開口式枠体ユニット４を撤去した場合には、撤去した上下開口式枠体ユニット４を新たな汚濁防止柵や海面処分場構造として転用が可能である利点もある。
【００４９】
また、これらの方法により水面上に突出又は水面下に位置するような水底汚染土壌の封じ込め構造体８では、設置位置によっては、平面配置として示す図７に示すように、水域に点在した状態で設置させたり、連続した状態で設置させたりすると、汚染土壌の処分場構造物を兼ねた防波堤，桟橋，堰等の恒常的に使用される構造物として用いることも可能な水底汚染土壌の封じ込め設備となり、また、水面上の蓋材５を床版として機能させ、荷揚げ設備とすることも可能である。
【００５０】
また、新たな汚染土壌の量に応じて、既設の水底汚染土壌の封じ込め構造体８の上に、少なくとも一つ以上の水底汚染土壌封じ込め用の上下開口式枠体ユニット４を積み重ねて、新たな水底汚染土壌を投入し、蓋材を設けて構築される水底汚染土壌の封じ込め構造体８とすることもでき、また、その水底汚染土壌の封じ込め構造体８を既設の水底汚染土壌の封じ込め構造体として、新たな汚染土壌の封じ込めの必要な時に応じて、前記の水底汚染土壌の封じ込め構造体８の上に、少なくとも一つ以上の水底汚染土壌封じ込め用の上下開口式枠体ユニット４を積み重ねて、新たな水底汚染土壌を投入し、蓋材を設ける一連の工程を繰り返して構築される水底汚染土壌の封じ込め構造体８とすることもできる。このように構成された水底汚染土壌の封じ込め構造体８は、上下方向中間部の上下開口式枠体ユニットに少なくとも１つ以上の蓋材と、最上部の上下開口式枠体ユニットに蓋材を備えた水面下あるいは水面上に突出する水底汚染土壌の封じ込め構造体８となる。水面上に突出又は水面下に位置するように水底汚染土壌の封じ込め構造体８を水域に点在あるいは連続して設けると、計画的に、桟橋，防波堤，堰等の恒常的に使用できる構造物となる汚染土壌の処分場構造物あるいは水底汚染土壌の封じ込め設備として構築できる。
【００５１】
また、既設および新設の水底汚染土壌の封じ込め構造体も汚染土壌の量に応じて、水底汚染土壌封じ込め用の上下開口式枠体ユニット４の１つまたは複数を、単独またはユニット化して設置することができ、高さ調整の自由度が高い。
【００５２】
また、汚濁防止柵としても、単に水底汚染土壌封じ込め用の上下開口式枠体ユニット４の１つまたは複数を、単独またはユニット化して設置することができ、高さ調整の自由度が高い。
【００５３】
【発明の効果】
本発明によると、簡単な構造の水底汚染土壌封じ込め用の上下開口式枠体ユニットおよび蓋材を使用して、原位置処理あるいは原位置処理以外での処理も可能で、比較的低コストな工事費でしかも短工期ですみ、簡易的な水底汚染土壌の封じ込め用構造体とすることができ、施工も容易な水底汚染土壌の封じ込め方法とすることができる。
【００５４】
また、水底汚染土壌封じ込め用の上下開口式枠体ユニットを積み重ねることによって、汚濁防止柵としても活用することができ、処分汚染土量にあわせて上下開口式枠体ユニットの積み増し高さを自由に調整可能な汚染土壌の処分場構造物としての汚染土壌の封じ込め用構造体とすることができる。
【００５５】
このように比較的短尺な水底汚染土壌封じ込め用の上下開口式枠体ユニットおよび適宜の位置に設けられる蓋材を使用した汚染土壌の封じ込め用構造体であるので、施工の自由度が高く、水面下の水底汚染土壌の封じ込め用構造体としたり又は水面上に突出するようにし、水底汚染土壌の封じ込め用構造体を水域に点在あるいは連続するように構築し、計画的に、桟橋，防波堤，堰等の恒常的に使用される構造物として用いることができる水底汚染土壌の封じ込め設備とすることができる。
【図面の簡単な説明】
【図１】本発明の第１実施形態を示すものであって、水底汚染土壌封じ込め用の上下開口式枠体ユニットおよび蓋材を使用して水底汚染土壌を封じ込める構造体を構築する工程を示す説明図である。
【図２】本発明の第２実施形態を示すものであって、水底汚染土壌封じ込め用の上下開口式枠体ユニットおよび蓋材を使用して水底汚染土壌を封じ込める構造体を構築する工程を示す説明図である。
【図３】本発明の第３実施形態を示すものであって、水底汚染土壌封じ込め用の上下開口式枠体ユニットまたはその集合体および蓋材を使用して水底汚染土壌を封じ込める構造体を構築する工程を示す説明図である。
【図４】水底汚染土壌封じ込め用の上下開口式枠体ユニットの上端部および下端部の嵌合継手の形態を示す縦断正面図である。
【図５】水底汚染土壌封じ込め用の上下開口式枠体ユニットの上端部および下端部の嵌合継手の形態を示す縦断正面図である。
【図６】水底汚染土壌の封じ込め構造体を水面上に突出させる形態を示す縦断断面図である。
【図７】（ａ）は水面上に突出させる水底汚染土壌の封じ込め構造体を連続して構築する場合を示す説明平面図、（ｂ）は水底汚染土壌の封じ込め構造体を断続して構築する場合の説明平面図である。
【図８】汚濁防止枠を使用した従来例の正面説明図である。
【図９】汚濁防止膜を使用した従来例の断面説明図である。
【図１０】矢板により締め切り工による汚濁防止壁あるいは海面最終処分場の形態を示す断面図である。
【符号の説明】
１  周側面板
２  枠体ユニット
３  汚染土壌の収納空間
４  水底汚染土壌封じ込め用の上下開口式枠体ユニット
５  蓋材
６  水底面
７  水底汚染土壌
８  水底汚染土壌の封じ込め用構造体
９  枠体ユニット集合体
１０  水底面土砂（または海底面土砂）
１１  中間部
１２  水域
１３  雄型嵌合継手
１４  雌型嵌合継手
１５  グラブ付き自航船
１６  汚濁防止枠
１７  重錘
１８  浮体（フロ−ト）
１９  汚濁防止膜
２０  矢板壁
２１  締め切り工
２２  最終海面処分場
【図１】
2004283719.tif 000003
【図２】
2004283719.tif 000004
【図３】
2004283719.tif 000005
【図４】
2004283719.tif 000006
【図５】
2004283719.tif 000007
【図６】
2004283719.tif 000008
【図７】
2004283719.tif 000009
【図８】
2004283719.tif 000010
【図９】
2004283719.tif 000011
【図１０】
2004283719.tif 000012